(57)【要約】      （修正有）【課題】人生のエンディングにおける使用を目的とし、かつ写真や、イラスト、漫画絵などを盛り込むことを可能とする構成のアルバムを提供する。【解決手段】表紙部１０と、表紙部に綴じ込まれた綴じ込み部２０と、を備える人生のエンディングの際に使用されるアルバムであって、綴じ込み部は、自分自身の氏名が記載される氏名記載欄を有する本人表示部と、漫画絵又はイラストが掲載される絵掲載面と、写真が掲載される写真掲載面と、を有する。【選択図】図１
0003191825.tif 000002
【実用新案登録請求の範囲】
【請求項１】
表紙部と、
前記表紙部に綴じ込まれた綴じ込み部と、
を備える人生のエンディングの際に使用されるアルバムであって、
前記綴じ込み部は、
自分自身の氏名が記載される氏名記載欄を有する本人表示部と、
漫画絵又はイラストが掲載される絵掲載面と、
写真が掲載される写真掲載面と、  
を有することを特徴とするアルバム。
【請求項２】
前記絵掲載面及び前記写真掲載面の少なくとも一方は、
前記漫画絵、前記イラスト、又は前記写真に関するタイトル又はメッセージを文字で記載可能な、第１記載欄又は第２記載欄が表面に設けられることを特徴とする請求項１記載のアルバム。
【請求項３】
前記絵掲載面及び前記写真掲載面の少なくとも一方は、
前記絵掲載面又は前記写真掲載面を収容し、かつ前記漫画絵、前記イラスト、又は前記写真の表面側を覆う透明シートを備える、第１収容部又は第２収容部を有することを特徴とする請求項１または請求項２記載のアルバム。
【請求項４】
前記本人表示部は、
自分自身の住所が記載可能な住所記載欄と、
自分自身の生年月日が記載可能な生年月日記載欄と、
自分自身の出生地、出身地、あるいは本籍地が記載可能な出生地等記載欄と、
のうち少なくとも一つ以上の欄を有し、
前記綴じ込み部は、
自分自身の人生の思い出が前記絵掲載面に掲載されて形成される思い出記載部と、
自分自身の葬儀の際の祭壇に飾る写真、並びに自分自身用の棺、骨壺、エンディングの際の衣装、及び墓の、漫画絵、イラスト、又は写真が前記絵掲載面又は前記写真掲載面に掲載されて形成されるエンディング部と、
自分自身の葬儀の参列者に対して配布されるメッセージカード又は粗品が収容され、かつ前記メッセージカード又は粗品に関するタイトル又はメッセージを文字で記載可能な第３記載欄を表面に備える第３収容部と、
葬儀後に親族が読むことを前提に作成されかつ自分自身から親族に対するメッセージが記載されたメッセージカードが収容され、前記メッセージカードに関するタイトル又はメッセージを文字で記載可能な第４記載欄を表面に備える第４収容部と、
を有し、
前記綴じ込み部は、アルバムの表側から裏側にかけて、前記本人表示部、前記思い出記載部、前記エンディング部、前記第３収容部、前記第４収容部の順で構成されることを特徴とする請求項１から請求項３のいずれか１項に記載のアルバム。
【請求項５】
前記表紙部は、前記綴じ込み部の表側に形成された表側部を備え、
前記表側部は、
自分自身の顔写真が前記表側部に対して平行に収容可能な第５収容部と、
前記第５収容部の表側面の一部の領域が開口された開口部と、
を有することを特徴とする請求項１から請求項４のいずれか１項に記載のアルバム。
【請求項６】
前記表紙部は、前記綴じ込み部の裏側に形成された裏側部を備え、
前記裏側部は、前記裏側部の表面側又は裏面側に設けられかつＣＤ、ＤＶＤなどの情報記憶媒体が前記裏側部に対して平行に収容される第６収容部を有することを特徴とする請求項１から請求項５のいずれか１項に記載のアルバム。
【考案の詳細な説明】
【技術分野】
【０００１】
本考案は、自分自身の人生のエンディングに利用されることを前提に、自分自身が希望するエンディングや、親族や友人などへのメッセージを伝えるために作成されるアルバムに関する。
【背景技術】
【０００２】
従来、自分で予め生前に自分自身の人生のエンディングを設計しておこうと考える人は多くはなかった。そのため、人生のエンディングでは、伝統の形式に則してワンパターン化された通夜や葬儀などが行われることが多かった。しかしながら、近年、人々の生活の価値観が多様化するにつれて、自分の人生のエンディングについても自分自身の希望に即したものとしたいと考える人々が増えている。
【０００３】
また、人生のエンディングの際には、自分自身の親族や友人に対する思いやメッセージを伝えたいと考える人々も多くなっており、このような希望に対しては、例えば、自分史や、エンディング、伝えたいメッセージなど自分に関した全てを１冊にまとめ、毎年書換えて常に最適な状態でエンディングに対応できるライフノートが提案されている（特許文献１参照）。
【先行技術文献】
【特許文献】
【０００４】
【特許文献１】特開２００８−１７３８５４号公報
【考案の概要】
【考案が解決しようとする課題】
【０００５】
このようなライフノートによれば、自分自身の親族や友人などに対するメッセージを容易に作成することができ、さらに自分自身が希望するエンディングを生前に予め決定し書き残しておくことなども容易となる。しかし、メッセージの内容については、文字とともに、あるいは文字に代えて、例えば漫画絵や、イラスト、写真などの他の表現形式が用いられた方が、メッセージの内容をより容易に伝えることができる場合も多い。特に、自分自身の希望するエンディングや、葬式、墓などについては、自分自身が希望するイメージを具体的に漫画絵やイラストとして図示して、あるいは写真として残すことができれば、これらの内容をより容易かつ正確に親族などに伝えることができる。
【０００６】
以上のような事情に鑑み、本考案では、人生のエンディングにおける使用を目的とし、かつ漫画絵や、イラスト、写真などを盛り込むことを可能とする構成のアルバムを提供することを目的とする。
【課題を解決するための手段】
【０００７】
本考案では、表紙部と、表紙部に綴じ込まれた綴じ込み部と、を備える人生のエンディングの際に使用されるアルバムであって、綴じ込み部は、自分自身の氏名が記載される氏名記載欄を有する本人表示部と、漫画絵又はイラストが掲載される絵掲載面と、写真が掲載される写真掲載面と、を有することを特徴とする。
【０００８】
また、絵掲載面及び写真掲載面の少なくとも一方は、漫画絵、イラスト、又は写真に関するタイトル又はメッセージを文字で記載可能な、第１記載欄又は第２記載欄が表面に設けられてもよい。
【０００９】
また、絵掲載面及び写真掲載面の少なくとも一方は、絵掲載面又は写真掲載面を収容し、かつ漫画絵、イラスト、又は写真の表面側を覆う透明シートを備える、第１収容部又は第２収容部を有してもよい。  
【００１０】
また、本人表示部は、自分自身の住所が記載可能な住所記載欄と、自分自身の生年月日が記載可能な生年月日記載欄と、自分自身の出生地、出身地、あるいは本籍地が記載可能な出生地等記載欄と、のうち少なくとも一つ以上の欄を有し、綴じ込み部は、自分自身の人生の思い出が絵掲載面に掲載されて形成される思い出記載部と、自分自身の葬儀の際の祭壇に飾る写真、並びに自分自身用の棺、骨壺、エンディングの際の衣装、及び墓の、漫画絵、イラスト、又は写真が絵掲載面又は写真掲載面に掲載されて形成されるエンディング部と、自分自身の葬儀の参列者に対して配布されるメッセージカード又は粗品が収容され、かつメッセージカード又は粗品に関するタイトル又はメッセージを文字で記載可能な第３記載欄を表面に備える第３収容部と、葬儀後に親族が読むことを前提に作成されかつ自分自身から親族に対するメッセージが記載されたメッセージカードが収容され、メッセージカードに関するタイトル又はメッセージを文字で記載可能な第４記載欄を表面に備える第４収容部と、を有し、綴じ込み部は、アルバムの表側から裏側にかけて、本人表示部、思い出記載部、エンディング部、第３収容部、第４収容部の順で構成されてもよい。
【００１１】
また、表紙部は、綴じ込み部の表側に形成された表側部を備え、表側部は、自分自身の顔写真が表側部に対して平行に収容可能な第５収容部と、第５収容部の表側面の一部の領域が開口された開口部と、を有してもよい。
【００１２】
また、表紙部は、綴じ込み部の裏側に形成された裏側部を備え、裏側部は、裏側部の表面側又は裏面側に設けられかつＣＤ、ＤＶＤなどの情報記憶媒体が裏側部に対して平行に収容される第６収容部を有してもよい。
【考案の効果】
【００１３】
本考案によれば、人生のエンディングにおける使用を目的とし、かつ写真や、イラスト、漫画絵などを盛り込むことを可能とする構成のアルバムを提供することにより、自分が希望するエンディングや自分の親族などに伝えたいメッセージを、より容易かつ正確に親族などに伝えることができる。
【００１４】
また、漫画絵、イラスト、又は写真に関するタイトル又はメッセージを文字で記載可能な第１記載欄又は第２記載欄が表面に設けられるものでは、漫画絵等に関するタイトルやメッセージを併せて表記し伝えることができる。
【００１５】
また、透明シートを備える第１収容部又は第２収容部を有するものでは、漫画絵、イラスト、又は写真を保護し、これらの表面のキズの発生や汚れの付着を防止することができるとともに、第１収容部に収容された漫画絵などの視認性の低下を抑制することができる。
【００１６】
また、本人表示部が、住所記載欄、生年月日記載欄、及び出生地等記載欄のうち少なくとも一つ以上の欄を有し、かつ綴じ込み部が、本人表示部、エンディング部、配布物収容部、メッセージ部の順で構成されるものでは、アルバムの冒頭部分で作成者である自分自身の簡単な紹介をすることができる。さらに、綴じ込み部は、エンディングの際の時系列に沿った順番で内容が構成されるので、このようなアルバムがエンディングの際に利用される場合に、親族らに自分自身の希望に沿ったエンディングをより容易かつ確実に行ってもらうことができる。
【００１７】
また、表側部が、自分自身の顔写真が表側部に対して平行に収容される第５収容部と、第５収容部の表側面の一部の領域が開口された開口部と、を有するものでは、自分自身の顔写真の一部をアルバムの表面に表示させることができる。
【００１８】
また、裏側部が、裏側部の表面側又は裏面側に設けられかつＣＤ、ＤＶＤなどの情報記憶媒体が裏側部に対して平行に収容される第６収容部を有するものでは、アルバムにＣＤ、ＤＶＤなどの情報記憶媒体を添付することができる。
【図面の簡単な説明】
【００１９】
【図１】本考案に係るアルバムの実施形態の一例を示す斜視図である。
【図２】図１のアルバムの要部を示し、（ａ）は平面図、（ｂ）は（ａ）のＡ−Ａ線に沿った断面図である。
【図３】図１のアルバムの要部を示す平面図である。
【図４】図１のアルバムの要部を示す概略分解図である。
【考案を実施するための形態】
【００２０】
以下、本考案の実施形態について図面を参照しながら説明する。ただし、本考案はこれに限定されるものではない。また、図面においては実施形態を説明するため、一部分を大きくまたは強調して記載するなど適宜縮尺を変更して表現している。以下の図１〜図３は、ＸＹＺ座標系を用いて図中の方向を説明する。このＸＹＺ座標系においては、閉じられた状態のアルバムの上面や裏面に平行な平面をＸＺ平面とする。このＸＺ平面において長手方向をＸ方向と表記し、Ｘ方向に直交する方向をＺ方向と表記する。ＸＺ平面に垂直な方向（アルバムの厚さ方向）はＹ方向と表記する。Ｘ方向、Ｙ方向及びＺ方向のそれぞれは、図中の矢印の方向が＋方向であり、矢印の方向とは反対の方向が−方向であるものとして説明する。
【００２１】
実施形態に係るアルバムの一例について、図面を参照しながら主要な構成を説明する。図１は、実施形態に係るアルバム１００の閉じられた状態を示す斜視図である。アルバム１００は、アルバム１００の作成者（以下の説明では、「自分自身」と称する。）の人生のエンディングに利用されることを前提に、自分が希望するエンディングや、親族や友人などへのメッセージを伝えるために作成されるアルバムである。アルバム１００は、図１に示すように、表紙部１０と、表紙部１０に綴じ込まれた綴じ込み部２０とを備える。
【００２２】
表紙部１０は、表側部１１と、裏側部１２と、表側部１１と裏側部１２とを互いに接続する接続部１０ａと、を備え、Ｘ方向から見て略コの字状に形成される。なお、表紙部１０は、このような略コの字状に代えて、例えば略Ｖ字状などであってもよい。閉じられた状態のアルバム１００において、表側部１１は綴じ込み部２０の表側（＋Ｙ側）に形成され、裏側部１２は綴じ込み部２０の裏側（−Ｙ側）に形成され、さらに、接続部１０ａは＋Ｚ側に形成される。このような表紙部１０は、例えば、厚紙や板状の樹脂などから形成される。
【００２３】
接続部１０ａの内側面（−Ｚ側の面）には、後述する綴じ込み部２０の＋Ｚ側の辺部が固着されており、これにより、表紙部１０は綴じ込み部２０を綴じ込んでいる。なお、表紙部１０としては、このように綴じ込み部２０の一部を固着させて綴じ込む構成のものに限定されず、例えば、綴じ込み部２０の＋Ｚ側の端部付近を厚さ方向（Ｙ方向）から挟み込んで綴じ込むバインダの構成や、複数のリングを備え、かつリングが貫通する穴が所定の位置に設けられた綴じ込み部２０を綴じ込むルーズリーフバインダの構成が採用されてもよい。
【００２４】
図２は、アルバム１００のうち表紙部１０の表側部１１を示し、（ａ）は平面図、(ｂ）は（ａ）のＡ−Ａ線に沿った断面図である。表側部１１は、図２（ａ）に示すように、Ｙ方向から見た形状はＸ方向を長辺かつＺ方向を短辺とする矩形状となっている。なお、表側部１１のＹ方向から見た形状は、矩形状に代えて円形状や四角以外の多角形状など種々の形状であってよい。表側部１１は、図２（ａ）、（ｂ）に示すように、第５収容部１３を有している。第５収容部１３は、表側部１１に対して平行となる状態で写真が収容可能となっており、自分自身の顔写真ＦＰが収容されている。この顔写真ＦＰは、図２（ａ）、（ｂ）のそれぞれの矢印が示すように、第５収容部１３の−Ｘ側から＋Ｘ方向に挿入される。第５収容部１３の表側面１３ａには、一部の領域が矩形状に開口された開口部１４が設けられる。顔写真ＦＰは、この開口部１４を介して外部から視認される。このような表紙部１０の表側部１１の構成によれば、自分自身の顔写真ＦＰの一部をアルバム１００の表面に表示させることができる。
【００２５】
なお、開口部１４は、矩形状に代えて円形状や四角以外の多角形状など種々の形状であってよく、例えば顔の輪郭に沿って形成してもよい。また、第５収容部１３は、表側部１１に設けられなくてもよい。また、収容された顔写真ＦＰの表面を保護するために、開口部１４を透明のシートで覆うようにしてもよい。
【００２６】
図３は、アルバム１００のうち表紙部１０の裏側部１２を示す平面図である。なお、図３は、アルバム１００を＋Ｙ側から見た図であり、表側部１１及び綴じ込み部２０は透過して示している。裏側部１２は、Ｙ方向から見た形状及び大きさが表側部１１と同一に形成される。なお、表側部１１と裏側部１２とは、Ｙ方向から見た形状又は大きさが互いに異なってもよい。裏側部１２は、図３に示すように、＋Ｙ側に第６収容部１５を備える。この第６収容部１５は、ＣＤ、ＤＶＤなどの情報記憶媒体が裏側部１２に対して平行となる状態で収容可能となっており、第６収容部１５には、情報記憶媒体ＭＥが収容されている。第６収容部１５は、例えば、不織布製や紙製の公知のディスクケースが裏側部１２の＋Ｙ側に接着されて形成される。情報記憶媒体ＭＥには、例えば、アルバム１００の情報の電子データが格納されている。このような裏側部１２の構成によれば、アルバムにＣＤ、ＤＶＤなどの情報記憶媒体ＭＥを容易に添付することができる。
【００２７】
なお、このような第６収容部１５は、裏側部１２の−Ｙ側に設けられてもよい。また、第６収容部１５は、アルバム１００において設けられなくてもよい。また、情報記憶媒体ＭＥに格納された情報の内容を伝えるために、裏側部１２の表面には、例えば「アルバムのデータはこのディスクの中にあります」などの文章が記載されてもよい。
【００２８】
なお、表紙部１０は、上記した構成に限定されず、綴じ込み部２０を綴じ込み可能な種々の構成が採用可能である。また、表側部１１は、上記した裏側部１２の構成としてもよく、裏側部１２は、上記した表側部１１の構成としてもよい。
【００２９】
図４は、アルバム１００の綴じ込み部２０の要部を示す概略分解図である。綴じ込み部２０は、図４に示すように、本人表示部２１、思い出記載部２２、エンディング部２３、第３収容部２４、及び第４収容部２５を有し、アルバムの表側（＋Ｙ側）から裏側（−Ｙ側）にかけてこの順で構成されている。なお、綴じ込み部２０は、思い出記載部２２、エンディング部２３、第３収容部２４、及び第４収容部２５のうちの一部の構成については設けられなくてもよい。また、綴じ込み部２０は、本人表示部２１、思い出記載部２２、エンディング部２３、第３収容部２４、及び第４収容部２５の一部又は全ての順番については変更されてもよい。
【００３０】
本人表示部２１は、氏名記載欄２１ａ、住所記載欄２１ｂ、生年月日記載欄（不図示）、及び出生地等記載欄（不図示）を有している。氏名記載欄２１ａは、自分自身の氏名の記載可能な欄である。同様に、住所記載欄２１ｂは自分自身の住所、生年月日記載欄は自分自身の生年月日、出生地等記載欄は自分自身の出生地、出身地、あるいは本籍地、のそれぞれが記載可能な欄である。
【００３１】
思い出記載部２２は、自分自身の人生の思い出が漫画絵やイラストにより記載され、自分自身の人生の思い出が表示される部分である。この思い出記載部２２は、絵掲載面２６を有している。思い出記載部２２において、絵掲載面２６は、例えば複数設けられ、それぞれ学校、仕事、結婚、及び子供などの項目ごとに設けられてもよい。
【００３２】
絵掲載面２６は、Ｙ方向（図１参照）から見て矩形状に形成されるが、円形状や四角以外の多角形状など種々の形状であってもよい。絵掲載面２６は、例えば紙であり表面に漫画絵Ｃが掲載されている。絵掲載面２６には、漫画絵Ｃに代えてイラストが掲載されてもよい。
【００３３】
絵掲載面２６は、第１収容部２６ａに収容される。この第１収容部２６ａは、例えば、Ｙ方向から見て絵掲載面２６よりも若干大きく形成されており、Ｘ方向又はＺ方向（図１参照）に平行な４つの辺部を有する矩形状に形成されるが、円形状や四角以外の多角形状など種々の形状であってもよい。このような第１収容部２６ａは、例えば、軟質材から形成される２枚のシート部材を有し、これらが重ね合わされて絵掲載面２６を挟み込むように構成される。これら２枚のシート部材は透明なシートから構成されており、収容された絵掲載面２６の表面側はこの透明シートＳに覆われる。そのため、絵掲載面２６の表面のキズの発生や汚れの付着が防止されるとともに、透明シートＳを介して、収容された漫画絵Ｃが視認可能となっている。
【００３４】
第１収容部２６ａは、＋Ｘ側、−Ｘ側、＋Ｚ側、及び−Ｚ側（図１参照）の４つの辺部を有する。これらの第１収容部２６ａの辺部のうち、＋Ｚ側の辺部は接続部１０ａに固着されており、これにより第１収容部２６ａは表紙部１０に綴じ込まれている。また、第１収容部２６ａの＋Ｘ側及び−Ｚ側の辺部は、２枚のシート部材が互いに固着されて閉じられている。また、第１収容部２６ａの＋Ｘ側の辺部は、固着されておらず開口状態となっており、この開口部分を介して、絵掲載面２６は第１収容部２６ａに収容される。なお、第１収容部２６ａは、上記した構成に限定されない。例えば、第１収容部２６ａの＋Ｘ側を開口部分としてもよい。
【００３５】
なお、表紙部１０が上記したバインダの構成の場合は、第１収容部２６ａの＋Ｚ側の辺部が重ねられた状態で表紙部１０に綴じ込まれる。また、表紙部１０が上記したルーズリーフバインダの構成の場合、第１収容部２６ａの＋Ｚ側の辺部の周囲には、所定箇所にリングが貫通する穴が設けられる。
【００３６】
第１収容部２６ａの表面（＋Ｙ側の面）には、漫画絵Ｃに関するタイトル及びメッセージを文字で記載可能な第１記載欄２６ｂが設けられる。第１記載欄２６ｂは、例えば、タイトルＴ１及びメッセージＭ１がそれぞれ横文字かつ２段併記で記載可能となっており、タイトルＴ１及びメッセージＭ１としては、それぞれ例えば「小学校での思い出」、「初めて好きな子ができました、でも振られてしまいました」などの文字及び文章である。なお、第１記載欄２６ｂは、例えば裏面に接着面を備えるシールの構成であってもよい。この場合、第１記載欄２６ｂは、タイトルＴ１又はメッセージＭ１が記入された後に、例えば透明シートＳの表面に貼付されてもよい。後述する第２記載欄２７ｂ、第３記載欄２４ａ、及び第４記載欄２５ａについても同様である。このような第１記載欄２６ｂが設けられることにより、漫画絵Ｃに関するタイトルやメッセージを併せて表記しこれらを親族などに伝えることができる。
【００３７】
なお、第１収容部２６ａは、上記した構成に限定されない。例えば、第１収容部２６ａは、透明シートＳを有しない構成であってもよく、あるいは、硬質材から形成されたシート部材から形成されてもよい。また、第１収容部２６ａは設けらなくてもよい。この場合、絵掲載面２６の表紙部１０への綴じ込みは、例えば、絵掲載面２６の＋Ｚ側の辺部を接続部１０ａに固着することにより行われる。また、第１記載欄２６ｂは設けられなくてもよい。以上の第１収容部２６ａに関する事項は、後述する第２収容部２７ａ、第３収容部２４、及び第４収容部２５についても同様に適用可能である。
【００３８】
エンディング部２３は、自分が希望する自分自身の人生のエンディングが記載され、その内容が自分の親族や友人に対して伝えられる部分である。エンディング部２３には、例えば、自分の葬儀の際の祭壇に飾る写真や、自分が希望する自分自身用の棺、骨壺、の衣装、墓などのイメージが写真により表される。なお、これらのイメージは、写真に代えて漫画絵やイラストにより表されてもよい。
【００３９】
エンディング部２３は、写真が掲載される写真掲載面２７を有している。エンディング部２３において、写真掲載面２７は、例えば複数設けられ、それぞれ自分の葬儀の際の祭壇に飾る写真、自分が希望する自分自身用の棺、骨壺、エンディングの際の衣装、墓の写真が掲載される。なお、図４では、自分自身用の棺の写真Ｐを有する写真掲載面２７のみを示しており、他の骨壺などの写真を有する写真掲載面２７については図示を省略している。このようなエンディング部２３は、写真掲載面２７に代えてあるいは写真掲載面２７とともに、自分自身用の棺などを表した漫画絵やイラストが掲載された絵掲載面２６を有してもよい。
【００４０】
写真掲載面２７は、Ｙ方向から見て矩形状に形成されるが、円形状や四角以外の多角形状など種々の形状であってもよい。写真掲載面２７は、例えば写真用紙などの紙であり、表面には写真Ｐが記載される。なお、写真掲載面２７は、紙に代えて、シートなどであってもよい。
【００４１】
写真掲載面２７は、第２収容部２７ａに収容されている。第２収容部２７ａは、上記した第１収容部２６ａと同様の構成である。なお、第２収容部２７ａは、第１収容部２６ａと異なる構成であってもよい。
【００４２】
第２収容部２７ａの表面（＋Ｙ側の面）には、写真Ｐに関するタイトル及びメッセージを文字で記載可能な第２記載欄２７ｂが設けられる。第２記載欄２７ｂは、例えば、タイトルＴ２及びメッセージＭ２がそれぞれ横文字かつ２段併記で記載可能となっており、タイトルＴ２及びメッセージＭ２としては、それぞれ例えば「この棺で旅立ちたい」、「自分でデザインを考えました、環境に少しでも役立ちたいです」などの文字及び文章である。
【００４３】
第３収容部２４は、自分自身の葬儀の参列者に対して配布されるメッセージカード又は粗品が収容される部分である。第３収容部２４は、第１収容部２６ａ及び第２収容部２７ａとほぼ同様の構成となっているが、これらと異なる構成としてもよい。第３収容部２４には、メッセージカードＭＣ及び粗品Ｇが収容される。また、第３収容部２４の表面には、メッセージカードＭＣ及び粗品Ｇに関するタイトルＴ３及びメッセージＭ３を文字で記載可能な第３記載欄２４ａが設けられている。タイトルＴ３及びメッセージＭ３としては、例えばそれぞれ「参加してくださった人へのお礼」、「香典をいただいた方へのお礼です」などの文字及び文章である。
【００４４】
第４収容部２５は、葬儀後に自分の親族が読むことを前提に作成されかつ自分自身から親族に対するメッセージが記載されたメッセージカードが収容される部分である。第４収容部２５は、第１〜第３収容部２６ａ、２７ａ、２４とほぼ同様の構成となっているが、これらと異なる構成としてもよい。第４収容部２５には、葬儀後に自分の親族に渡されるメッセージカードＭＣが収容されている。また、第４収容部２５には、メッセージカードＭＣに関するタイトルＴ４及びメッセージＭ４を文字で記載可能な第４記載欄２５ａが設けられている。タイトルＴ４及びメッセージＭ４としては、例えばそれぞれ「家族へ」、「今までありがとう、葬儀が終わったら開いてください」などの文字及び文章である。
【００４５】
このようなアルバム１００によれば、漫画絵Ｃや、イラスト、写真Ｐなどをふんだんに盛り込むことが可能となる。そのため、人生のエンディングの際にアルバム１００が使用されることで、自分自身の希望するエンディングや親族などに伝えたいメッセージを、より容易かつ正確に親族などに伝えることができる。また、綴じ込み部２０は、本人表示部２１、思い出記載部２２、エンディング部２３、第２収容部２４、及び第３収容部２５の順で構成され、エンディングの際の時系列に沿った順番となっているので、エンディングの際にアルバム１００が利用される場合、自分自身の希望に沿ったエンディングをより容易かつ確実に行ってもらうことができる。さらに、このようなアルバム１００を使用する人々が増えれば、漫画絵やイラストなどの作成の需要も増し、ひいてはこれらの業種の需要を喚起することにもつながる。
【００４６】
以上、本考案の実施形態について説明したが、本考案は、上記した説明に限定されるものではなく、本考案の要旨を逸脱しない範囲において種々の変更が可能である。例えば、絵掲載面２６又は写真掲載面２７は、絵や写真が片面のみに記載されてもよいが、表面（＋Ｙ側の面）及び裏面（−Ｙ側の面）の両面に記載されてもよい。
【符号の説明】
【００４７】
Ｃ…漫画絵
Ｇ…粗品
Ｍ１、Ｍ２、Ｍ３、Ｍ４…メッセージ
ＭＣ…メッセージカード
ＭＥ…情報記憶媒体
Ｐ…写真
ＦＰ…顔写真
Ｓ…透明シート
Ｔ１、Ｔ２、Ｔ３、Ｔ４…タイトル
１０…表紙部
１１…表側部
１２…裏側部
１３…第５収容部
１３ａ…表側面
１４…開口部
１５…第６収容部
２０…綴じ込み部
２１…本人表示部
２１ａ…氏名記載欄
２１ｂ…住所記載欄
２２…思い出記載部
２３…エンディング部
２４…第３収容部
２４ａ…第３記載欄
２５…第４収容部
２５ａ…第４記載欄  
２６…絵掲載面
２６ａ…第１収容部
２６ｂ…第１記載欄
２７…写真掲載面
２７ａ…第２収容部
２７ｂ…第２記載欄
１００…アルバム
【図１】
0003191825.tif 000003
【図２】
0003191825.tif 000004
【図３】
0003191825.tif 000005
【図４】
0003191825.tif 000006